(57)【特許請求の範囲】
【請求項１】
ＲＦＩＤタグと非接触で交信するリーダライタのアンテナを一体的に設けたＲＦＩＤタグ交信用の手袋において、該ＲＦＩＤタグ交信用の手袋の掌側にアンテナおよび圧電スイッチを設け、該スイッチがダンボールを持った力で押されて自動的にＯＮし、該ＲＦＩＤタグの属性情報を読み取り、前記ＲＦＩＤタグとの交信が正常に終了した際の確認音および／または確認光を発する手段を該手袋に設けたことを特徴とするＲＦＩＤタグ交信用の手袋。
【発明の詳細な説明】
【０００１】
【発明の属する技術分野】
本発明は、荷役用の手袋に関し、さらに詳しくは、荷物に貼着されたＲＦＩＤタグと非接触で情報交信することのできるリーダライタのアンテナ、および、該ＲＦＩＤタグとの交信が正常に終了した際に、確認音および／または確認光を発する手段を設けるＲＦＩＤタグ交信用の手袋に関するものである。
【０００２】
【従来技術】
従来、ＲＦＩＤタグと情報交信する方法としては、該ＲＦＩＤタグと交信するリーダライタを有する専用ゲートを設けて交信したり、リーダライタ機能を内蔵させた手袋を用いて、荷物を持つことで交信する方法が特開平１１ー２９６６２８号公報で知られている。
【０００３】
しかしながら、リーダライタを有する専用ゲートを設ける方法、および手袋へリーダライタ機能を内蔵させる方法のいずれでも、該ＲＦＩＤタグとの交信が正常に終了したや否やの確認は、万が一、ＲＦＩＤタグのデータが読み取れなかった荷物が混入していても、データを収集し集計しないと発見できないという欠点がある。また、読み取れなかった荷物について、再度読み取りを行おうとしても、既に該当荷物が発送されていたり、トラックに積載されていたりして荷物を探し出す困難があり、実運用には適さないという問題がある。
【０００４】
【発明が解決しようとする課題】
そこで、本発明は、このような問題点を解消すべく、万が一の読み取り不可にそなえて、ＲＦＩＤタグ交信用の手袋へ該ＲＦＩＤタグとの交信が正常に終了した際の、確認音および／または確認光を発する手段を設けることを着想して、本発明の完成に至ったものである。
【０００５】
【課題を解決するための手段】
上記の課題を解決するために、本発明の要旨は、ＲＦＩＤタグと非接触で交信するリーダライタのアンテナを一体的に設けたＲＦＩＤタグ交信用の手袋において、該ＲＦＩＤタグ交信用の手袋の掌側にアンテナおよび圧電スイッチを設け、該スイッチがダンボールを持った力で押されて自動的にＯＮし、該ＲＦＩＤタグの属性情報を読み取り、前記ＲＦＩＤタグとの交信が正常に終了した際の確認音および／または確認光を発する手段を該手袋に設けたことを特徴とする。
【０００６】
【発明の実施の形態】
本発明の実施態様について、図を参照して詳細に説明する。
まず、本発明に用いるＲＦＩＤタグとは、ＲＦＩＤ（Ｒａｄｉｏ  Ｆｒｅｑｕｅｎｃｙ  Ｉｄｅｎｔｉｆｉｃａｔｉｏｎ）システムの媒体として、電波を用いて非接触で情報の交信ができるタグである。ＲＦＩＤタグは、紙やプラスチック等の基材に設けたアンテナパターンとＩＣチップからなり、該アンテナパターンとＩＣチップに内蔵された容量素子とにより共振回路を形成している。該共振回路は、リーダライタから一定の周波数の呼出し電波を受信すると、メモリに記憶している情報を発信源であるリーダライタに送信して返す。このようにＲＦＩＤタグは、リーダライタと非接触で情報を交信することができる。
【０００７】
尚、「ＲＦＩＤタグ」には、「非接触ＩＣタグ」、「非接触データキャリア」、「無線ＩＣタグ」、「非接触ＩＣ」、「非接触ＩＣラベル」、「非接触ＩＣカード」、「トランスポンダ」等と、種々の名称で表現される場合もあるので、本発明においては、代表して「ＲＦＩＤタグ」と表現し、前記のように表現されている名称のものも包含するものとする。
【０００８】
ＲＦＩＤタグが交信に使用する周波数は、ＵＨＦ−ＳＨＦ帯（８５０〜９５０ＭＨｚと、２．４〜５ＧＨｚ）、ＨＦ帯（１０〜１５ＭＨｚ）、ＬＦ−ＭＦ帯（１００〜５００ＫＨｚ）があり、本発明ではいずれの周波数を用いるＲＦＩＤタグも適用できる。ＵＨＦ−ＳＨＦ帯やＨＦ帯の周波数を用いる電磁誘導方式のＲＦＩＤタグでは、交信距離が長いが価格的に高い。ＬＦ−ＭＦ帯の周波数を用いる静電結合方式のＲＦＩＤタグは、読み取り距離が比較的短いが、ＲＦＩＤタグ、リーダライタおよび制御機器を含めてのシステム全体の価格が比較的安価で用途面も広く、本発明には好適に使用することができる。
【０００９】
図１は、本発明で使用するＲＦＩＤタグの１例を示す平面図および断面図である。
図１（Ａ）はＲＦＩＤタグの平面図で、図１（Ｂ）は断面図である。ＲＦＩＤタグ１０は、ＲＦＩＤタグ基体１７にアンテナパターン１４を形成し、当該アンテナパターンとＩＣチップ１１に内蔵された容量素子とにより共振回路を形成している。共振回路は、リーダライタから一定の周波数の呼出し電波を受信すると、同時にＲＦＩＤタグの駆動電力も受けて、ＩＣチップ１１のメモリに記憶されている情報を発信源であるリーダライタに送信して返す。
【００１０】
アンテナパターン１４は、コイル形状で導通部材１３によりＲＦＩＤタグ基体１７の裏面でジャンピング回路を形成して、コイル接続素子１５、１６によりＩＣチップ１１のバンプまたはパッドに接続している。ＲＦＩＤタグ基体１７の材料としては、絶縁性材料であれば特に限定されるものではなく、例えばポリエチレンテレフタレート、ポリ塩化ビニール、ポリプロピレン、ポリカーボネイト、ポリエーテルサルフォン、ポリアミド、酢酸セルロースなどのフィルムが適用できる。該フィルムの厚みも、特に限定されるものではなく、１２μｍ〜１００μｍ程度が好適である。また、ＲＦＩＤタグ基体１７には機能に影響のない範囲で、着色剤、帯電防止剤、滑剤、安定剤などの添加剤を混入させても良い。
【００１１】
このようなＲＦＩＤタグ１０は、ＲＦＩＤタグ基体１７にラミネートしたアルミ箔や銅箔などの金属箔を、フォトエッチングやレジスト印刷後のエッチングによりコイル状としてアンテナパターン１４を形成し、ＩＣチップ１１を装着して形成することができる。その大きさも５０ｍｍ×５０ｍｍ以下のサイズにできる。具体的には、大日本印刷社製の製品名「ａｃｃｕｗａｖｅ」が例示できる。
【００１２】
図２は、本発明で使用するＲＦＩＤタグの他の例を示す平面図である。
ＩＣチップ１００を有するＩＣチップラベル１００Ｌを、一対をなすアンテナパターン１１１、１１２の双方に接続するように貼着した静電結合型のＲＦＩＤタグの平面図である。一対のアンテナパターン１１１、１１２の形成は、導電性インキを使用して、オフセット・グラビア・フレキソ・シルクスクリーン印刷などによって形成する。導電性インクには、カーボン・黒鉛・アルミ粉・銀紛、あるいはそれらの混合体などをビヒクルに分散したインキを使用する。
【００１３】
具体的には、モトローラ社製の製品名「Ｂｉｓｔａｔｉｘ」が例示でき、安価で信頼性も高く、リーダライタと交信できる距離は短いものの、本発明のようにアンテナ機能を有する荷役用手袋と、ＲＦＩＤタグとが接触するほどの短い交信距離で使用する場合には、好適に使用することができる。
【００１４】
なお、「ＩＣチップラベル」とは、シリコン基板に集積回路またはメモリ、あるいはその双方を設けたＩＣチップ１００を、ＲＦＩＤタグ１０１の一対のアンテナパターン１１１、１１２に装着可能にタックラベル化した状態のものを意味し、該タックラベル自体にもＩＣチップに接続した小形で一対の子アンテナパターンを有する場合もある。
【００１５】
一般に、ＩＣチップラベル１００Ｌは、ＲＦＩＤタグの基体へ印刷により形成されたアンテナパターン１１１、１１２に対して貼着して使用されるが、ＩＣチップラベル１００Ｌにも、小形で一対の子アンテナパターンが導電性の印刷インキなどにより印刷されている。
【００１６】
ＲＦＩＤタグ１０１の基体に印刷されたアンテナパターン１１１、１１２とＩＣチップラベル１００Ｌの一対の子アンテナパターンとは、異方導電性もしくは非導電性の粘着剤により貼着し結合される。該粘着剤は、予めＩＣチップラベル１００Ｌの一対の子アンテナパターン面に、塗布してタックラベル化させている。
【００１７】
ＲＦＩＤタグの記録容量としては、ＩＣチップ１００の一般的なＩＣメモリの場合は、１０２４Ｂｉｔｓで１２８文字の記録ができ、通常の製品や梱包された荷物の最低限の情報記録には充分に適用できる。また、数キロビットであれば、従来の荷物管理に用いられていた２次元バーコード以上の記録が可能である。さらに、２次元バーコードと異なり、情報を必要に応じて逐次追加記録し、また、書き換えできる利点があり、荷物の搬入搬出管理はもちろん、製品の授受や品質管理に用いることもできる。
【００１８】
本発明の手袋を用いて取り扱う荷物としては、ＲＦＩＤタグを貼着できる荷物であれば、特に限定されるものではなく、例えば日用品、飲料、食品、アパレル商品、機械や機械部品類、電気製品、建築用品などの製品やそれらを複数梱包した箱でも良い。また、航空業界のバッケージ用、運輸流通業界の配送用、図書館蔵書の管理用、レンタルＣＤやビデオの管理用などの搬入搬出や貸し出しの自動認識システムとしても適用できる。
【００１９】
図３は、本発明の手袋を用いて、荷役するＲＦＩＤタグを貼着した荷物を示す斜視図である。
本発明では、ＲＦＩＤタグ１０、１０１の形態については、ラベル形状、カード形状、コイン形状、インレット形状などの種々の形状があるが、いずれの形状のＲＦＩＤタグでも適用でき、図３のように、製品を１つまたは複数を包装または梱包した化粧箱、段ボール、木箱、包み、封書、手提げ袋、コンテナなどの外装体へ貼着し、または種々の製品へ直接貼着して使用する。貼着方法は特に限定されるものではなく、粘着剤やセロテープで貼り付けたり、紙やポリエチレンなどの小袋に入れて貼着しても良く、ＲＦＩＤタグを予めタックラベルとしておいて、貼着しても良い。
【００２０】
また、ＲＦＩＤタグ１０、１０１は、無線で交信ができるが、外観上はきれいというものでもないので、ＲＦＩＤタグ１０、１０１を覆って、通常使用している銘板ラベルとの中間に貼着するのが好適である。ＲＦＩＤタグ１０、１０１は、銘板ラベルと製品やダンボールとの間に貼着したり、もしくは、銘板ラベルの裏面に形成または銘板ラベルの裏面にラミネートすることで、部外者には該ＲＦＩＤタグ１０、１０１の存在の有無も判らない状態となって、該ＲＦＩＤタグ１０、１０１による荷物管理以外に、品質管理などの管理を併用するためには、より好適である。
【００２１】
銘板ラベルは、一般的な製品名・セールスポイント・販売者・製造月日・納入先などが手書き、またはオフセット印刷・樹脂凸版印刷・グラビア印刷・フレキソ印刷・シルクスクリーン印刷などの印刷で表示された糊貼りラベル・タックラベルなどが適用できる。また、収縮性プラスチックフィルムへ、グラビア・シルクスクリーン印刷などで印刷した筒状のシュリンクラベルやストレッチラベルなど種々のものが適用できる。
【００２２】
上記の糊貼りラベル・タックラベル・シュリンクラベルおよびストレッチラベルの基体としては、特に制限されるものではないが、例えば上質紙・コート紙・含浸紙・合成紙などの紙類、ポリエチレンテレフタレート・ポリプロピレン・ポリ塩化ビニール・エチレン酢酸ビニール共重合体などの合成樹脂類、アルミニウムなどの金属箔類、およびそれらの２層またはそれ以上の積層体などが適用できる。
【００２３】
図４は、本発明の手袋を用いて、荷役状態を示す斜視図である。
ＲＦＩＤタグ１０、１０１を貼着した荷物２を、後述する本発明のＲＦＩＤタグ交信用の手袋１を装着して、荷役のために持ち上げた状態である。このように荷役することで、荷物２に貼着されたＲＦＩＤタグ１０、１０１と交信可能な距離範囲となって、該手袋１に内蔵されているアンテナを介してリーダライタが、該ＲＦＩＤタグのメモリに記録されている情報を読み取ることができる。
【００２４】
図５は、本発明の確認音および／または確認光を発する手段を設けた手袋の概念図である。
ＲＦＩＤタグ交信用の手袋１は、アンテナ３１、接続端子３３、配線３４、確認音手段３５、確認光手段３６とからなっている。リーダライタのＯＮ／ＯＦＦするスイッチ３２を併せて設けた場合が請求項２の発明である。アンテナ３１はＲＦＩＤタグと交信するリーダライタのアンテナで、スイッチ３２はリーダライタ本体をＯＮ／ＯＦＦするスイッチで、端子３３はアンテナ３１とリダライタ本体とを電気的に接続するための端子で、配線３４はアンテナ３１とリダライタ本体とを結ぶ配線である。
【００２５】
確認音手段３５は、電子音ＩＣチップ、フィルムスピーカ、スピーカなどで、ＲＦＩＤタグとの交信が正常に終了した際に発音することで、耳から確認することができる。確認光手段３６は、ＬＥＤなどの発光素子からなり、ＲＦＩＤタグとの交信が正常に終了した際に発光することで、目から確認することができ、また、点滅発光させると確認が確実でより好適である。このように確認音手段３５および／または確認光手段３６によって、荷物を持った瞬間に、感覚的に読み取りを確認することができる。確認音手段３５および／または確認光手段３６は、リーダライタ本体へ設置しても同様の効果が得られる。
【００２６】
リーダライタ用のアンテナ３１は、銅線またはアルミニウム線などの金属線をコイル状にしたものや、銅箔またはアルミニュム箔をエッチングなどでコイル状にパターン化した一般的なアンテナが適用できる。スイッチ３２を設けた場合は、押し圧によって電源が入る圧電型スイッチが適用でき、荷物を持った際の手袋と荷物との間にかかる圧力や、ＲＦＩＤタグ交信用の手袋１を握ったり、もう片方の手で押すことで、スイッチがＯＮする圧電型スイッチが適用できる。また、１つのＲＦＩＤタグとの交信が終わると、自動的にスイッチがＯＦＦになるようにリーダライタに設定されている。
【００２７】
確認音手段３５および／または確認光手段３６と、アンテナ３１と、スイッチ３２と、接続端子３３とを荷役用手袋へ一体的に設ける方法は、特に限定されるものではなく、例えば手袋本体の布地ともう１枚の被覆布地の間へ縫合したり、別の袋状物へ一旦納めてからマジックテープなどで留めても良く、荷役作業中に脱落しなければ良い。確認光手段３６を設ける場合は、光が透過する透明または開口率の大きい布地が好適である。
【００２８】
図６は、本発明の手袋、リーダライタ、電池の配置を示す概念図である。
荷役作業者は、ＲＦＩＤタグ交信用の手袋１を少なくとも片方の手に装着し、該手袋１の確認音手段３５および／または確認光手段３６と、アンテナ３１とスイッチ３２が配線３４を経由して、リーダライタ本体４０と接続している。リーダライタ本体４０は、電力を供給する電池７０と、管理用のホストコンピュータと交信する送受信手段４１を備えている。該リーダライタ本体４０と電池７０は、通常腰部などにとり付けて作業する。
【００２９】
図７は、本発明の手袋を用いて荷役するシステム要素の構成図である。
本発明の荷役システムは、荷物に貼着したＲＦＩＤタグ１０、１０１と、アンテナ３１およびスイッチ３２を設けた手袋１と、リーダライタ本体４０と、電池７０と、ホストコンピュータ８０からなっている。
【００３０】
ＲＦＩＤタグとしては、電磁結合型のＲＦＩＤタグ１０、静電結合型のＲＦＩＤタグ１０１とを説明したが、機能要素的には同様である。アンテナ２１、送受信回路２２、電力受信回路２３、ＣＰＵ２４、ＲＯＭ２５、ＲＡＭ２６、ＥＥＰＲＯＭ２７からなっている。電力受信回路２３は、リーダライタからの呼出し電波を受けて、電力送信回路４３から来る電波をＲＦＩＤタグを駆動する電力に変換して、ＲＦＩＤタグを活性化させる。
【００３１】
活性化したＲＦＩＤタグのＣＰＵ２４は、ＲＯＭ２５のプログラムによりメモリＲＡＭ２６、および一次的なメモリＥＥＰＲＯＭ２７を使用して、予め記録されている製品や荷物の属性情報を、送受信回路２２、アンテナ２１を介して非接触で電波として送り返す。
【００３２】
該電波を、ＲＦＩＤタグ交信用の手袋１のアンテナ３１をが受信してリーダライタ本体４０へ送る。リーダライタ本体４０は、送受信回路４２、電力送信回路４３、ＣＰＵ４４、ＲＯＭ４５、ＲＡＭ４６、確認制御部４８とからなっている。該受信電波は、送受信回路４２を経由してＲＯＭ４５のプログラムでＣＰＵ４４で読み取られる。次々と荷役作業が行われると、該荷物情報がＲＡＭ４６に蓄積される。
【００３３】
このようにして、リーダライタ本体４０がＲＦＩＤタグとの交信が正常に終了すると、１つの交信毎に、確認制御部４８はＲＦＩＤタグ交信用の手袋１の確認音手段３５および／または確認光手段３６へ確認手段の実行を指示する。確認音手段３５は確認音を発生させ、確認光手段３６は発光させる。電力送信回路４３は、ＲＦＩＤタグへ電力を供給するための回路である。
【００３４】
リーダライタ本体４０の送受信手段４１は、上位機器であり、搬入搬出の管理を行うホストコンピュータ８０へ、該ホストコンピュータ８０の送受信手段５１を通じて、逐次または蓄積した荷物情報を送るものである。送受信手段４１、５１としては、端子から有線による方法、電波や赤外線による無線通信による方法が適用できる。電波による無線通信としては、エリクソン社・ノキア社・ＩＢＭ社・インテル社および東芝社の５社により提唱された２．４５ＧＨｚ帯のマイクロ波を使用する近距離無線通信規格「ブルートゥース」、および５ＧＨｚ帯のマイクロ波なども使用できる。
【００３５】
電池７０は、リーダライタへ駆動電力を供給するためのもので、一次電池および二次電池が適用できる。リーダライタへ駆動電力を常時供給する場合には、一次電池を使用している時は頻繁に電池の交換をせねばならず、二次電池を使用している時は比較的重い電池を携行するか、該二次電池への充電を頻繁に行わなければならない。
【００３６】
しかし、本発明の請求項２によれば、ＲＦＩＤタグ交信用の手袋１へリーダライタをＯＮ／ＯＦＦするスイッチ３２を設けてあるので、荷物を持つ瞬間だけ電力を供給すれば良い。１つの荷物を持ち、該荷物のＲＦＩＤタグと交信する時間は多くとも秒単位の時間であり、１日の荷役作業を累計した時間でも、交信時間だけのわずかな電力を供給する電池で良く、重量的に重い電池を小形軽量化できる効果は大きい。
【００３７】
ホストコンピュータ８０は、パソコンやサーバで良く、一般的にはＣＰＵ５４、ＲＯＭ５５、ＲＡＭ５６を持ち、ＦＤＤ５２、ＣＤＤ５３、ＨＤ５４などの記録部、および入出力部５８、５９を介して、プリンタ６１、モニタ６２、キーボードなどの入力部６３からなっている。
【００３８】
リーダライタ４０からホストコンピュータ８０へ送られてきた荷物情報は、所定の処理がされて、モニタ６２へ表示されて、プリンタ６１でプリントアウトすることもできる。このように搬入搬出のデータを自動的に収集し、集計し、出力することができるので、荷役作業者に負担が軽く、効率も向上できる。また、逐次、搬入搬出のデータをホストコンピュータへ送るようにしておけば、リアルタイムで状況が把握できて、物流管理の進度や、緊急荷役への対応もできる。
【００３９】
【実施例】
（実施例１）ＲＦＩＤタグとして大日本印刷社製の製品名「ａｃｃｕｗａｖｅ」を用いて、ダミーのダンボール箱の側面へ、上質紙１１０ｇ／ｍ2の表面へ納入先、品名、数量、製造元をインクジェットプリンタで印字した製品タックラベルの裏面へ配置した状態で貼着した。一方、一般的なＩＣカード用リーダライタを用い、さらにコード配線で引き出して、確認音手段３５および／または確認光手段３６、銅線コイルからなるアンテナ３１、および圧電スイッチ３２を手袋の掌側へポケットにしておいた部分へ挿入した。確認音手段３５としては電子音ＩＣチップを、確認光手段３６としては赤色ＬＥＤを用いた。
【００４０】
荷役作業者は、上記ＲＦＩＤタグと交信する手袋を、右手に装着し、左手は普通の手袋を装着した。なお、リーダライタの電源は単３乾電池４本をリーダライタ本体に内蔵させ腰に付けて、左手で右手に装着しているスイッチを押し、リーダライタをＯＮし、ＲＦＩＤタグを貼着したダミーのダンボール箱を持ち上げたところ、該ＲＦＩＤタグの属性情報を読み取った後、リーダライタの電源がＯＦＦした。この該ＲＦＩＤタグの属性情報を読み取った瞬間に、ＬＥＤは赤く発光し、電子音ＩＣチップから「ピンポーン」と音が発せられた。スイッチＯＮを手動で行うのは、凸凹な形状や柔らかい製品の場合に、スイッチが入りにくいので、好適である。
【００４１】
（実施例２）ＲＦＩＤタグとしてモトローラ社製の製品名「Ｂｉｓｔａｔｉｘ」を用い、手袋およびリーダライタは実施例１と同様にした。荷役作業者は、上記ＲＦＩＤタグと交信する手袋を、右手に装着し、左手は普通の手袋をして、リーダライタ本体とともに腰に付けた。
【００４２】
作業者がＲＦＩＤタグを貼着したダミーのダンボール箱を持ち上げたところ、右手に装着しているスイッチがダンボールを持った力で押されて自動的にＯＮし、該ＲＦＩＤタグの属性情報を読み取った後、リーダライタの電源がＯＦＦした。このように次々と１０個のダンボール箱を持ち上げる毎に、ＬＥＤは赤く発光し、「ピンポーン」と音が発せられた。ダンボール箱をトラックに積み込んだ後、ホストコンピュータへデータを送ってプリントアウトしたところ、１０件の製品情報が打ち出された。
【００４３】
【発明の効果】
以上のように、ＲＦＩＤタグ交信用の手袋１の掌側にアンテナおよび圧電スイッチを設け、該スイッチがダンボールを持った力で押されて自動的にリーダライタがＯＮし、さらに確認音手段３５および／または確認光手段３６を設けたので、ＲＦＩＤタグの情報を読み取る毎に確認音および／または確認光が発せられて、読み取りミスを未然に発見できる。荷役の後で未読の荷物を発送されたことが判ったり、荷物を探し廻ることがなく、実際の運用をすることができる。実運用にあたっては、読み取りを感覚的に知ることは、極めて効果的である。
【図面の簡単な説明】
【図１】  本発明で使用するＲＦＩＤタグの１例を示す平面図および断面図である。
【図２】  本発明で使用するＲＦＩＤタグの他の例を示す平面図である。
【図３】  本発明の手袋を用いて、荷役するＲＦＩＤタグを貼着した荷物を示す斜視図である。
【図４】  本発明の手袋を用いて、荷役状態を示す斜視図である。
【図５】  本発明の確認音および／または確認光を発する手段を設けた手袋の概念図である。
【図６】  本発明の手袋、リーダライタ、電池の配置を示す概念図である。
【図７】  本発明の手袋を用いて荷役するシステム要素の構成図である。
【符号の説明】
１  手袋
２  荷物
１０、１０１  ＲＦＩＤタグ
１１、１００  ＩＣチップ
１２  ＩＣ基板
１３  導通部材
１４、１１１、１１２  アンテナパターン
１５、１６  接続素子
１７  ＲＦＩＤタグ基体
２２、４２  送受信回路
２３  電力受信回路
２４、４４、５４  ＣＰＵ
２５、４５、５５  ＲＯＭ
２６、４６、５６  ＲＡＭ
２７  ＥＥＰＲＯＭ
３１  アンテナ
３２  スイッチ
３４  配線
４０  リーダライタ本体
４１、４２  送受信手段
５２  ＦＤＤ
５３  ＣＤＤ
５４  ＨＤ
５８、５９  入出力部
６１  プリンタ
６２  モニタ
６３  入力部
７０  電池
８０  ホストコンピュータ
１００Ｌ  ＩＣチップラベル
【図１】
0004802395.tif 000002
【図２】
0004802395.tif 000003
【図３】
0004802395.tif 000004
【図４】
0004802395.tif 000005
【図５】
0004802395.tif 000006
【図６】
0004802395.tif 000007
【図７】
0004802395.tif 000008